(57)【要約】【課題】  医療画像に付帯する患者情報をデータベースへ登録する際に、入力される画像に付帯する患者情報が誤っている場合に、データベースに登録される正しい患者情報を誤った患者情報に更新登録してしまう。その一方で、患者名などの情報は婚姻等の理由で変わる可能性があるので、適宜更新したい。【解決手段】  画像の付帯情報を記憶装置に登録する情報処置方法において、入力された画像の付帯情報を読み取る付帯情報読取工程と、付帯情報の照合条件を設定する照合条件設定工程と、前記照合条件設定工程により設定された照合条件に基づき、前記記憶装置にすでに登録されている付帯情報と、新たに入力された画像の付帯情報とを照合する付帯情報照合工程と、前記付帯情報照合工程により照合結果に応じて、新たに入力された画像の付帯情報を前記記憶装置への登録動作を制御する付帯情報登録制御工程とを有する。【選択図】  図２
2005222308.tif 000002
【特許請求の範囲】
【請求項１】
画像の付帯情報を記憶装置に登録する情報処置方法において、
入力された画像の付帯情報を読み取る付帯情報読取工程と、
付帯情報の照合条件を設定する照合条件設定工程と、
前記照合条件設定工程により設定された照合条件に基づき、前記記憶装置にすでに登録されている付帯情報と、新たに入力された画像の付帯情報とを照合する付帯情報照合工程と、
前記付帯情報照合工程により照合結果に応じて、新たに入力された画像の付帯情報を前記記憶装置への登録動作を制御する付帯情報登録制御工程とを有することを特徴とする情報処理方法。
【請求項２】
前記付帯情報照合工程による照合の結果を出力する照合結果出力工程を有することを特徴とする請求項１に記載の情報処理方法。
【請求項３】
前記付帯情報照合工程による照合の結果、前記記憶装置にすでに登録されている付帯情報と、新たに入力された画像の付帯情報とが一致しない場合に、付帯情報登録制御工程は新たに入力された画像の付帯情報の前記記憶装置への登録を禁止することを特徴とする請求項１または２に記載の情報処理方法。
【請求項４】
前記付帯情報は複数種の情報を含み、複数種の付帯情報のうち前記照合条件設定工程にて設定される照合条件に含まれない付帯情報は、記憶装置にすでに登録されている付帯情報と、新たに入力された画像の付帯情報とが一致しない場合であっても、付帯情報登録制御工程は記憶装置にすでに登録されている付帯情報を新たに入力された画像の付帯情報に更新登録することを特徴とする請求項１ないし３の何れかに記載の情報処理方法。
【請求項５】
前記画像は医療画像であって、前記付帯情報とは、患者ＩＤ、患者名、性別、生年月日のうちの少なくともいずれか１つを含むことを特徴とする請求項１ないし４の何れかに記載の情報処理方法。
【請求項６】
前記照合条件設定工程により設定される前記照合条件とは、患者ＩＤ一致、患者名一致、性別一致、生年月日一致のうちの少なくともいずれか１つを含むことを特徴とする請求項５に記載の情報処理方法。
【請求項７】
前記照合条件設定工程により設定される前記照合条件に患者名一致が設定される場合、区切り文字によって患者名を分割し、分割された文字列単位で照合を行なうことを特徴とする請求項６に記載の情報処理方法。
【請求項８】
前記区切り文字が２つ以上存在する場合、３番目以降の分割された文字列を一つの文字列に結合することを特徴とする請求項７に記載の情報処理方法。
【請求項９】
前記照合条件設定工程では、患者名の第３文字列以降を照合するか否かを設定可能であることを特徴とする請求項８に記載の情報処理方法。
【請求項１０】
前記照合条件設定工程により設定される前記照合条件に患者名一致が設定されない場合であって、前記付帯情報照合工程により、記憶装置にすでに登録されている付帯情報と、新たに入力された画像の付帯情報とを照合した結果、患者名以外の照合条件で一致する場合に、記憶装置にすでに登録されている患者名を新たに入力された画像の患者名に更新する付帯情報更新工程を有することを特徴とする請求項６ないし９の何れかに記載の情報処理方法。
【請求項１１】
画像の付帯情報を記憶手段に登録する情報処置装置において、
入力された画像の付帯情報を読み取る付帯情報読取手段と、
付帯情報の照合条件を設定する照合条件設定手段と、
前記照合条件設定手段により設定された照合条件に基づき、前記記憶手段にすでに登録されている付帯情報と新たに入力された画像の付帯情報とを照合する付帯情報照合手段と、
前記付帯情報照合手段により照合結果に応じて、新たに入力された画像の付帯情報を前記記憶装置へ登録動作を制御する付帯情報登録制御手段とを有することを特徴とする情報処理装置。
【請求項１２】
請求項１ないし１０のいずれかに記載の情報処理方法をコンピュータに実行させるための制御プログラム。
【請求項１３】
請求項１ないし１０のいずれかに記載の情報処理方法をコンピュータに実行させるための制御プログラムを格納するコンピュータによる読取が可能な記憶媒体。
【発明の詳細な説明】
【技術分野】
【０００１】
本発明は、データの照合方法に関するものであり、より具体的には、医療ネットワークシステムにおける医療画像データベースに関する。
【背景技術】
【０００２】
近年、デジタルＸ線装置が開発され、Ｘ線画像はデジタルデータとしてコンピュータに取り込まれるようになった。デジタル化された画像データは患者情報や検査情報などの付帯情報を有しており、それらの情報を元に画像を管理するデータベースシステムが登場してきている。これにより、患者ＩＤを元にデータベースを検索し、該当患者の画像をＣＲＴや液晶ディスプレイなどのモニタ上で診断するといった、新たな画像診断ワークフローが実現されている。
【０００３】
ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）と呼ばれる一般的な医療画像データベースシステムは、画像発生装置（モダリティ）、ファイルサーバ、データベースなどで構成されており、これらがネットワークを介して接続されている。モダリティは医用デジタル画像を作成し、作成された画像に対して患者情報や検査情報などの付帯情報をＤＩＣＯＭ規格などに則って画像ヘッダとして付与する。作成された画像データはネットワークを介して転送され、ファイルサーバに保存されるとともに、画像ヘッダの情報がデータベースに登録される。
【０００４】
ところで、画像ヘッダには患者名や患者ＩＤなどのように、複数の画像で同じ情報が存在するものがある。たとえば、患者ＩＤ：００１の患者が異なる日に検査を行ったとすると、それぞれの検査で作成される画像データのヘッダには同じ患者ＩＤおよび患者名が付与される。このような画像は患者ＩＤ：００１の検査としてデータベースに登録される。すなわち、データベースに登録される画像ヘッダの情報は患者に基づいて識別されている。
【０００５】
しかしながら、このようなシステムでは、ユーザの入力ミスによって正しい情報の登録要求がされていない場合にその情報が誤ってデータベースに登録されてしまう。
【０００６】
たとえば、１回目の撮影時の患者名を「キヤノン  太郎」として登録する。そして２回目の撮影時の患者名を「キヤノン」とすると、データの上書きが可能になっているシステムでは、患者名が「キヤノン  太郎」から「キヤノン」へと変更されてしまう。そのため、患者名「キヤノン  太郎」で画像を検索しても画像が見つからないという問題が生じるのである。
【０００７】
この課題を解決するために、特開平６−１８７３８１号公報においては、データベースに登録済みのデータに変更が生じる場合に、ユーザにその旨を通知することで、ユーザがデータベースの情報の変更を把握することができるシステムについて記載されている。（特許文献１を参照）
【特許文献１】特開平６−１８７３８１号公報
【発明の開示】
【発明が解決しようとする課題】
【０００８】
しかしながら、この方法はデータベースに登録済みのデータをＩＤでのみ識別しているため、ＩＤそのものの付け間違いによるデータベースへの誤登録を防止することはできない。
【０００９】
たとえば、２００３年８月に患者ＩＤ：１５２３４の「山田  花子」の検査を行ない、データベースに患者情報が登録されているとする。後日２００３年９月に患者ＩＤ：１２３４５の「山田  太郎」が検査を行なったとき、患者ＩＤを１５２３４として誤って入力し画像の付帯情報として患者ＩＤ：１５２３４が付与されてしまったとする。すると、この日に撮影された画像の情報は本来の患者ＩＤ：１２３４５の「山田  太郎」のデータではなく、患者ＩＤ：１５２３４の「山田  花子」の情報としてデータベースに登録されてしまう。よって、画像診断時に患者名「山田  太郎」や患者ＩＤ「１２３４５」で画像を検索しても、２００３年９月に撮影された画像は検索結果としては表れず、画像が見つからないという問題が起こってしまう。
【００１０】
以上のように撮影時の患者情報の誤入力により画像情報がデータベースへ誤って登録されてしまうことが本発明の解決しようとする課題である。
【課題を解決するための手段】
【００１１】
このような課題に鑑み、請求項１に記載した発明は、画像の付帯情報を記憶装置に登録する情報処置方法において、入力された画像の付帯情報を読み取る付帯情報読取工程と、付帯情報の照合条件を設定する照合条件設定工程と、前記照合条件設定工程により設定された照合条件に基づき、前記記憶装置にすでに登録されている付帯情報と、新たに入力された画像の付帯情報とを照合する付帯情報照合工程と、前記付帯情報照合工程により照合結果に応じて、新たに入力された画像の付帯情報を前記記憶装置への登録動作を制御する付帯情報登録制御工程とを有することを特徴としている。
【００１２】
請求項２に記載した発明は、請求項１に記載した発明に加えて、前記付帯情報照合工程による照合の結果を出力する照合結果出力工程を有することを特徴としている。
【００１３】
請求項３に記載した発明は、請求項１または２に記載した発明に加えて、付帯情報照合工程による照合の結果、記憶装置にすでに登録されている付帯情報と、新たに入力された画像の付帯情報とが一致しない場合に、付帯情報登録制御工程は新たに入力された画像の付帯情報の記憶装置への登録を禁止することを特徴としている。
【００１４】
請求項４に記載した発明は、請求項１ないし３の何れかに記載した発明に加えて、付帯情報は複数種の情報を含み、複数種の付帯情報のうち前記照合条件設定工程にて設定される照合条件に含まれない付帯情報は、記憶装置にすでに登録されている付帯情報と、新たに入力された画像の付帯情報とが一致しない場合であっても、付帯情報登録制御工程は記憶装置にすでに登録されている付帯情報を新たに入力された画像の付帯情報に更新登録することを特徴としている。
【発明の効果】
【００１５】
請求項１に記載した発明によれば、記憶装置にすでに登録されている付帯情報と、新たに入力された画像の付帯情報との照合結果によって、新たに入力された画像の付帯情報を記憶装置への登録動作を制御するので、照合結果に応じて最適な制御が可能になる。
【００１６】
請求項２に記載した発明によれば、付帯情報照合工程による照合の結果を出力することによって、例えばこの出力を表示すれば、ユーザに照合結果を報知することができる。
【００１７】
請求項３に記載した発明によれば、付帯情報照合工程による照合の結果が不一致の場合に新たに入力された画像の付帯情報の記憶装置への登録を禁止するので、従来例にあるような正しくない付帯情報によって上書きされてしまうことを防止することができる。
【００１８】
請求項４に記載した発明によれば、照合条件に含まれない付帯情報は、記憶装置にすでに登録されている付帯情報と、新たに入力された画像の付帯情報とが一致しない場合であっても、付帯情報登録制御工程は記憶装置にすでに登録されている付帯情報を新たに入力された画像の付帯情報に更新登録するので、何らかの理由で付帯情報が変わった場合にも付帯情報の更新が可能となる。
【発明を実施するための最良の形態】
【００１９】
以下、本発明に関する実施形態について、図面を参照しながら説明する。
【００２０】
（第１の実施形態）
図１は、本発明の第１の実施形態であるシステム構成を示すブロック図である。
【００２１】
本実施形態のデータ登録システムは、画像発生部１０１、ネットワーク１０２、画像受信部１０３、付帯情報保存部１０４、画像保存部１０５によって構成されている。画像発生部１０１は、一般的にはＸ線撮影装置、Ｘ線ＣＴ装置、ＭＲＩ（核磁気共鳴映像）装置、超音波画像装置、眼底カメラなどを示しており、医用画像データを生成し、生成した画像データに患者情報や検査情報を画像ヘッダとして付与する。画像受信部１０３は画像発生装置１０１によって作られた画像を受信し、画像発生部１０１とネットワーク１０２によって相互に接続されている。
【００２２】
より具体的にはマウス、キーボードといった入力手段とＣＲＴや液晶ディスプレイといった出力手段を少なくとも備えた一般的なコンピュータであってよい。付帯情報保存部１０４は画像受信部１０３において受信した画像の付帯情報を保存する部分であり、例えば画像受信部１０３に内蔵されているデータベースである。画像保存部１０５は画像受信部１０３において受信した画像を保存する部分であり、例えば画像受信部１０３に内蔵されているハードディスクや不揮発性メモリといった記憶媒体である。
【００２３】
図１において画像発生部１０１は一つの構成であるが、実際のシステムにおいては複数の画像発生部が接続されていてもかまわない。また、付帯情報保存部１０４および画像保存部１０５は上述の例に限定されるものではなく、例えば画像受信部１０３とは別のネットワークで接続された別のコンピュータであってもよい。
【００２４】
次に、本発明の一実施形態に係る機能構成について説明する。図２は、本発明の一実施形態に係る機能構成を示す図である。図２において２０１は撮影部で、画像発生部１０１に属し、実際に画像を撮影する装置を示している。２０２は撮影制御部で、撮影部２０１を制御するための制御部であり、より具体的にはマウス、キーボード、ディスプレイ装置からなる端末装置である。
【００２５】
２０３は撮影部２０１で撮影された画像データであり、図１における画像受信部１０３が受信した画像データである。２０４は付帯情報読取部であり、画像データ２０３に付帯している患者情報や検査情報を読み取る。２０５は照合条件設定部であり、情報のどの項目を照合するか、どのような条件で照合するかといった照合条件を設定する。２０６は照合条件保存部であり、照合条件設定部２０３により設定した照合条件を保持する。２０７はデータ照合部であり、付帯情報読取部２０２で読み取られた付帯情報と付帯情報保存部１０４から取得した情報とを照合条件保存部２０６に保持されている照合条件に基づいて照合し、二つの情報が所定の条件に合致しているか否かを判定する。また、判定した結果を画像発生部に通知できるように、撮影制御部２０２と通信できるインターフェイスを備えている。２０８は付帯情報登録部であり、データ照合部２０７により照合条件を満たした場合に付帯情報を付帯情報保存部１０４へ登録する。２０９は画像登録部であり、データ照合部２０７により情報が照合条件を満たしたと判定された場合に受信した画像データ２０３を画像保存部１０５へ保存する。
【００２６】
次に上述した画像受信から画像の登録までの一連の動作について説明する。図３は、本実施形態における画像受信から画像登録までの動作についてのフロー図である。図３に示す動作は本実施形態のデータ登録システムの最も典型的な一例を示すものであり、画像を受信してから登録する際にデータ登録システムが行なう動作である。
【００２７】
まず、画像発生部１０１において、ある患者のＸ線画像が作成され、ネットワーク１０２を介して画像受信部１０３に転送されてきたものとする。ステップＳ３０１において、データ登録システムは転送されてきた画像を受信する。次に、ステップＳ３０２において受信した画像の付帯情報を付帯情報読取部２０４において読み取る、ここで読み取られる情報は患者ＩＤ，患者名、患者の性別、患者の生年月日などの患者情報である。次に、ステップＳ３０３において、受信した画像の患者情報が付帯情報保存部１０４にすでに登録されているか否かを問い合わせる。
【００２８】
より具体的にはステップＳ３０２において、読み取られた患者ＩＤが付帯情報保存部１０４に存在するか否かを調べ、存在していなければ新規患者と判定され、ステップＳ３０６へ移り、すでに患者ＩＤが存在していた場合はステップＳ３０４へ移る。
【００２９】
ステップＳ３０４では、照合条件保存部２０６に保存されている照合条件を読み出し、読み出した照合条件に基づいて、受信した画像の患者情報と付帯情報保存部１０４に保存されている患者情報とをデータ照合部２０７にて照合する。
【００３０】
ステップＳ３０５では照合の結果に基づき処理を分岐する。具体的には、照合の結果、照合条件をクリアした場合はステップＳ３０６に移り、照合条件を満たさなかった場合は登録処理が中断される。このとき、システムの使用者に対して何が原因で登録が中断されたのかを通知する。
【００３１】
より具体的には、撮影制御部２０２の端末に接続されたディスプレイに図６で示すようなエラーメッセージが表示される。なお図６についての詳細は後述する。
【００３２】
ステップＳ３０６では読み取った付帯情報を付帯情報保存部１０４に登録し、ステップＳ３０７へ移る。具体的には画像から読み取った患者情報や検査情報などをデータベースへ登録するといった処理を行なう。最後にステップＳ３０７において、受信した画像を画像保存部１０５へ登録する。尚、照合条件および照合手順については詳細を後述する。
【００３３】
次に、照合条件の設定方法について図４を用いて説明する。図４は照合条件を設定するためのＧｒａｐｈｉｃａｌ  Ｕｓｅｒ  Ｉｎｔｅｒｆａｃｅ（ＧＵＩ）を示しており、画像受信部１０３に接続されているＣＲＴや液晶ディスプレイといった表示装置に表示される。図４には照合条件を設定するためのチェックボックス４０１〜４０６と、条件設定を決定するための操作ボタン４０７が示されている。チェックボックス４０１〜４０６は操作者がマウス等によりポインタ４１を移動させて、チェックボックス上でクリックするとチェックが入るＧＵＩである。
【００３４】
図４においてＧＵＩの上部に配置されているチェックボックス４０１〜４０３は患者情報のうちどの情報を必須入力にするかを設定するチェックボックスである。図４においては、４０１の患者名と４０２の生年月日にはチェックが入っている。つまり、受信した画像の付帯情報として患者名と生年月日が必ず入力されていなければデータ登録を行わない、すなわちデータ照合時に失敗するということを示している。
【００３５】
一方、性別の必須入力設定を行なうチェックボックス４０３にはチェックが入っていないため、たとえ受信画像の付帯情報として患者の性別が入力されていなかったとしてもデータ登録の失敗とはならない。また、チェックボックス４０４〜４０６において、患者名と生年月日のチェックボックスにチェックが入っているため、患者名および生年月日のみを照合し、生年月日は照合しないという設定を表している。設定を決定する際には操作ボタン４０７上にポインタ４１を移動してクリックすることで、設定された条件がシステムに反映される。
【００３６】
以上に示すように、ＧＵＩにはチェックボックスや操作ボタンなどが配置されているが、操作ボタンやチェックボックスの配置やＧＵＩの実現方法についてはこの限りではなく、利用者の操作に応じて照合条件を設定可能なＧＵＩであれば種々のＧＵＩを利用してかまわない。
【００３７】
図５は受信画像５０１と登録済み患者情報５０２と照合条件設定部２０５により設定された照合条件５０３を示している。５０１の受信画像には付帯情報の一部として図中に示されている患者情報が付加されているものとし、この画像の付帯情報に含まれている患者ＩＤは本来１２３４５であるが画像撮影時の誤操作によって１５２３４になってしまったものとする。一方、登録済み患者情報には患者ＩＤ１５２３４がすでに存在している。
【００３８】
そのため、図３のステップＳ３０３では新規患者ではないと判定され、ステップＳ３０４へ移る。ステップＳ３０４では照合条件に基づいて照合を行なう。５０３に照合条件が示されており、患者名と生年月日の照合は行なうが、性別の照合は行なわないことが条件として設定されている。つまり、この条件の場合は少なくとも患者名と生年月日が一致するという条件を満たさない限り、データ登録処理は中断されることを示している。
【００３９】
つまり図５の場合、患者名は「山田  太郎」と「山田  花子」で一致せず、生年月日も「１９５０／０５／０５」と「１９７０／０６／０６」で一致しない。性別は「Ｍ」と「Ｆ」で一致しないが、照合条件に性別の照合は行なわないことが設定されているため、照合は行なわない。結果として患者名と生年月日が照合条件を満たしていないため、データ登録処理は中断される。
【００４０】
図６はデータ登録処理が中断されたときに撮影制御部２０２に表示される警告メッセージである。図６において、画像発生部１０１から転送した画像の付帯情報がすでに登録済みの患者ＩＤ：１５２３４の患者名と一致していないことによってデータ登録が中断されたことを示している。画像受信部１０３がデータ登録を中断した際に、このメッセージが画像発生部１０１に表示されることにより操作者が撮影時に患者情報を誤って登録した可能性があることを知ることが出来る。
【００４１】
以上により、患者ＩＤの付け間違いによって画像が別患者のものとして誤って登録されることを防止することが可能となる。
【００４２】
（第２の実施形態）
第１の実施形態においては、画像は画像発生部１０１によりネットワークを介して転送されてきたが、ＭＯ、ＣＤ−ＲＯＭ、ＣＤ−Ｒ、ＣＤ−ＲＷ、ＤＶＤ−ＲＡＭ、ＤＶＤ−ＲＯＭ、ＤＶＤ−Ｒ、ＤＶＤ−ＲＷといったオフラインメディアに書き込まれた画像を読み込んで、データ登録を行なう際にも照合処理を行なうことでデータの誤登録を防止することが可能である。
【００４３】
図７は、本実施形態のシステム構成例を示すブロック図である。本実施形態のデータ登録システムは、画像記録媒体７０１、画像読取部７０２、付帯情報保存部７０３、画像保存部７０４によって構成されている。画像記録媒体７０１は、一般的にはフロッピー（登録商標）ディスク、ＭＯ、ＣＤ−ＲＯＭ、ＣＤ−Ｒ、ＣＤ−ＲＷ、ＤＶＤ−ＲＡＭ、ＤＶＤ−ＲＯＭ、ＤＶＤ−Ｒ、ＤＶＤ−ＲＷなどの記録媒体を示しており、患者情報や検査情報といった付帯情報の付与された画像データが書き込まれている。
【００４４】
画像読取部７０２は画像記録媒体７０１に書き込まれている画像を読取る。画像読取部７０２は、より具体的にはマウス、キーボードといった入力手段とＣＲＴや液晶ディスプレイといった出力手段を少なくとも備えた一般的なコンピュータであってよい。
【００４５】
付帯情報保存部７０３は画像読取部７０２において読み込んだ画像の付帯情報を保存する部分であり、例えば画像読取部７０２に内蔵されているデータベースである。画像保存部７０４は画像読取部７０２において読み取った画像を保存する部分であり、例えば画像読取部７０２に内蔵されているハードディスクや不揮発性メモリといった記憶媒体である。
【００４６】
図７における画像読取部７０２の機能構成は第１の実施形態における図２の画像受信部１０３が画像読取部７０２に相当する。
【００４７】
また、画像の読み取りから画像の登録までの一連の処理は第１の実施形態と同じである。尚、画像読取時の照合処理において、照合条件を満たさなかったためにデータ登録を中断した場合には、警告メッセージは画像読取部７０２に接続されたＣＲＴや液晶ディスプレイなどの表示装置に表示される。
【００４８】
このとき表示される警告メッセージの一例を示したものが、図１６である。
【００４９】
オフラインメディアから画像を読み込む場合は、画像を読み込ませる処理中に、どの画像の登録に失敗したかを使用者に通知するため、画像ファイル名と登録が失敗したときの原因をエラー情報として表示するのが望ましい。
【００５０】
図１６においては、エラー情報として患者名、生年月日、性別が一致していないことを示しているが、後述する患者名の第３文字列の不一致や、その他のエラー情報を含め、データの登録に失敗した原因を通知できるような表示方法であればどのような表示内容でもかまわない。
【００５１】
（第３の実施形態）
第１の実施形態においては患者情報の照合の際には患者名、生年月日、性別が完全に一致することを条件としていた。患者名は通常、姓・名に分かれており、撮影時には姓・名を区別するために姓と名の間にスペースなどが入力されることが多い。
【００５２】
このような場合、患者名を一つの文字列として照合すると姓と名の間にスペースが入っている場合に全角と半角の違いであっても照合失敗となりうる。
【００５３】
これでは、姓、名が正しい場合であっても、姓、名を区切るための区切り文字が原因で照合条件を満たさなくなるためデータ登録に失敗し、そのたびに患者名の修正を行なわねばならず利便性を欠いてしまう。そこで、患者名の照合を行なう場合には患者名を分割し、分割された文字列ごとに照合を行なう。
【００５４】
以下、具体的に患者名の分割照合について説明する。図８は患者名全体の照合と患者名を分割して照合した場合の様子を示している。
【００５５】
８０１は患者名全体を一つの文字列とみなして患者名を照合した例であり、文字列８０２は第一の患者名、文字列８０３は第二の患者名である。第一の患者名８０２は姓と名の間にスペースが一つ入力されており、第二の患者名８０３は姓と名の間にスペースが２個入力されている。
【００５６】
第一の患者名８０２と第二の患者名８０３を照合すると姓と名の間のスペースの数が違うため異なる文字列と判定され、照合に失敗する。
【００５７】
一方８０４は患者名を分割して照合した例である。文字列８０５は第一の患者名の第１文字列を示しており、文字列８０６は第二の患者名の第１文字列を表している。
【００５８】
これらの文字列は、より一般的には「姓」である。文字列８０７は、第一の患者名の第２文字列であり、文字列８０８第二の患者の第２文字列を表している。これらの文字列は、より一般的には「名」である。図に示した通り、患者名の分割照合において文字列８０５は文字列８０６と照合し、文字列８０７は文字列８０８と照合するため、姓と名の間にどのような区切り文字が入力されても患者名の照合結果は一致する。
【００５９】
これにより、本来の氏名とは本質的に関係の無い、姓と名を区別するための区切り文字により患者名の照合が失敗するという問題を防ぐことが可能となる。本実施形態においては姓と名の区切り文字としてスペースを引用したが、これに限るものではなく例えば、図９に示すような一般的には人名には使われない記号を区切り文字として処理してもよい。
【００６０】
（第４の実施形態）
第３の実施形態においては、一般的な日本人の名前を処理する場合に好適な例を挙げたが、日本人以外の場合、例えば欧米人などでは名前にミドルネームが存在し、患者名として入力される場合がある。このような時には、第３の実施形態を拡張し、第３文字列までを抽出し、それぞれを照合することで対応することが可能である。
【００６１】
しかしながら、患者名の中に区切り文字が３つ以上入力されている場合は患者名を４つ以上の文字列として処理してしまう可能性がある。区切り文字が現れる度に患者名を分割し、それぞれを照合していたのでは処理時間がかかってしまう恐れがある。
【００６２】
そのため、現実的にはあまり意味をなさない４つ目以降の文字列は第３文字列と結合することで、患者名が４つ以上に区切られていたとしても、最大でも３つの文字列処理までに抑えることが出来、処理時間の短縮を図ることが可能である。
【００６３】
なお、このときには図１０に示すように照合条件設定ＧＵＩにおいて、患者名の照合の際に３番目以降の文字列を使って照合するか否かを使用者が選択できるようにチェックボックス１００７のようなＧＵＩを有しても構わない。さらに、一致確認を行なう付帯情報として患者名が選択されていない場合、すなわちチェックボックス１００４にチェックが入っていない場合は、１００９に示されているようにチェックボックス１００７のチェックが自動的に外れ、無効化（ユーザによる入力が不可能な状態）されることで、使用者が矛盾した設定を行なえないようにすることが可能となる。
【００６４】
図１３は条件設定ＧＵＩにおいて自動的に入力制限する際の動作フローを示している。この動作フローは一致確認に患者名を使用するか否かを設定するチェックボックス１００４に対する操作が行なわれた時点を開始とする。ステップＳ１３０１は条件分岐ステップであり、チェックボックス１００４にチェックが入った場合はステップＳ１３０２に移り、チェックが外された場合はステップＳ１３０３に移る。
【００６５】
ステップＳ１３０２にでは患者名の照合に第３文字列を使用するか否かを設定するためのチェックボックス１００７を有効化し、ユーザが設定可能な状態にする。一方、ステップＳ１３０３ではチェックボックス１００７のチェックを外し、ステップＳ１３０４に移る。ステップＳ１３０４では、チェックボックス１００７を無効化し、ユーザが設定できない状態にする。
【００６６】
（第５の実施形態）
患者名は結婚、離婚、養子縁組などによって姓が変わる場合がある。このような時に、実施形態１から実施形態３のような患者名の照合方法を行なうと、たとえ区切り文字を除外して照合したとしても、姓そのものが一致しないため照合に失敗する場合がある。
【００６７】
このような場合、照合条件の設定を工夫することで、姓が変わったとしても、患者名を修正する手間を省くことが可能である。
【００６８】
以下、図１１を用いて本実施形態を詳細に説明する。図１１は、患者名が変更された場合に患者名の照合を行なわずになおかつ患者ＩＤの付け間違いによるデータの誤登録を防止するための照合条件設定ＧＵＩの一例である。
【００６９】
まず、結婚などで姓が変更された場合の処理を行なうため、必ず患者名が入力されていることが条件として設定されている必要があり、そのためチェックボックス１１０１にチェックが入っている。その他の生年月日チェックボックス１１０２および性別１１０３の設定は任意である。
【００７０】
次に照合を行なう付帯情報の設定において、患者名を照合する設定にすると、すなわち患者名チェックボックス１１０４にチェックを入れていると、姓が異なるため照合に必ず失敗してしまう。そこで、患者名チェックボックス１１０４はチェックを外す必要がある。
【００７１】
ここで、患者名の照合を行なわず、生年月日の照合も行なわないとすると、患者ＩＤが誤って入力された場合に、別の患者としてデータが登録されてしまう恐れがある。そのため、生年月日チェックボックス１１０５には必ずチェックを入れる。なお、性別チェックボックス１１０６の設定は任意である。最後に患者名の上書きチェックボックス１１０７にチェックを入れると新しい受信画像の患者名でデータベースの患者名を上書きし、結婚後の新しい患者名が登録される。
【００７２】
以上に示したように図１１の照合条件設定ＧＵＩにはチェックボックスや操作ボタンなどが配置されているが、操作ボタンやチェックボックスの配置やＧＵＩの実現方法についてはこの限りではなく、利用者の操作に応じて照合条件を設定可能なＧＵＩであれば種々のＧＵＩを利用してかまわない。
【００７３】
図１４は条件設定ＧＵＩにおいて自動的に入力制限する際の動作フローを示している。この動作フローは必須入力項目として患者名を設定するか否かを選択するチェックボックス１１０１に対する操作が行なわれた時点を開始とする。
【００７４】
ステップＳ１４０１は条件分岐ステップであり、チェックボックス１１０４にチェックが入った場合はステップＳ１４０２に移り、チェックが外された場合はステップＳ１４０４に移る。ステップＳ１４０２には条件分岐ステップであり、患者名の一致確認を行なうか否かを設定するチェックボックス１１０４にチェックが入った場合はステップＳ１４０４に移り、チェックが外された場合はステップＳ１４０３に移る。
【００７５】
ステップＳ１４０３では患者名を上書きするか否かを設定するためのチェックボックス１１０７を有効化し、ユーザが設定可能な状態にする。一方、ステップＳ１４０４ではチェックボックス１１０７のチェックを外し、ステップＳ１４０５に移る。ステップＳ１４０５では、チェックボックス１１０７を無効化し、ユーザが設定できない状態にする。
【００７６】
（第６の実施形態）
上記第１ないし第５の実施形態において、照合条件設定はＧＵＩ上で使用者が自由に選択できる例を示したが、複雑な設定を矛盾することなく行なうために、条件設定方法に制限を設けることでより簡単に照合条件の条件設定を行なうことが可能である。
【００７７】
以下、本実施形態を図１２を用いて説明する。図１２は本実施形態における照合条件設定ＧＵＩの一例図１２−Ａと照合条件設定ＧＵＩ１２−Ａでのそれぞれの設定条件がどのように連動するかを示したテーブル図１２−Ｂである。
【００７８】
図１２−Ａのチェックボックスに関連付けられた番号と図１２−Ｂのテーブルの列に関連付けられた番号はそれぞれ対応していることを示している。
【００７９】
図１２のチェックボックス１２０１Ａ〜１２０３Ａは必須入力設定でありそれぞれ患者情報（１２０１Ａ）、生年月日（１２０２Ａ）、性別（１２０３Ａ）が入力されているかを確認するための設定を示している。図１２−Ｂにおいて必須入力の条件設定について示されているように、必須入力条件は患者名、生年月日、性別をそれぞれ設定できるため、全８通りの設定が可能である。
【００８０】
また、チェックボックス１２０４Ａは照合条件として患者ＩＤ以外の情報を利用するか否かを設定する項目であり、ここにチェックが入って始めてチェックボックス１２０５Ａ〜１２０７Ａが入力可能になる。この連動について示したものが図１２−Ｂである。つまり、１２０４Ｂの列に○が設定されているものが、チェックボックス１２０４Ａにチェックが入力されていることを示しており、１２０４Ｂにチェックが入っていない場合は、１２０５Ｂ〜１２０７Ｂも無効であることを表している。
【００８１】
また、図１２−Ｂの照合条件テーブルで示されているように、本実施形態では患者情報の照合には少なくとも患者名か生年月日のいずれか一つが設定されていることが必要である。これは患者情報の照合に性別のみを使用した場合には、性別さえ一致していれば同一患者とみなしてしまうため、患者のユニーク性が極端に低くなってしまい誤って別の患者としてデータが登録されてしまう可能性があるためである。
【００８２】
よって、使用者が１２０４Ａのチェックボックスにチェックを入れた場合、必ずチェックボックス１２０５Ａかチェックボックス１２０６Ａにチェックが入っていなければならない。この制限を自動的に行なうために、照合条件設定ＧＵＩでは１２０５Ａもしくは１２０６Ａのいずれか一方のチェックボックスのチェックを外した場合には、他方のチェックボックスが自動的にチェックされ、しかもチェックされた状態でチェックボックスはユーザが操作できなくなるというＧＵＩが望ましい。
【００８３】
また、患者名の照合時に第３文字列を照合するというチェックボックス１２０８Ａは図１２−Ｂに示されているとおり、チェックボックス１２０４Ａおよび１２０５Ａにチェックが入って始めて設定可能になる。これにより、患者名の照合に第２文字列までを利用するか、第３文字列までを利用するかを選択することが可能となる。
【００８４】
さらに、図１２−Ａ中には患者名が結婚などによって変更された場合の設定例として患者名を上書きする設定を行なうチェックボックス１２０９Ａが示されている。このチェックボックス１２０９Ａは図１２−Ｂに示されている通り、必須入力条件で患者名が必須入力となっており、かつ一致確認を行なう設定となっており、かつ患者名の照合を行なわない設定の場合、すなわちチェックボックス１２０１Ａおよびチェックボックス１２０４Ａにチェックが入っており、かつチェックボックス１２０５Ａにチェックが入っていない場合にのみ患者名の上書き設定が可能となる。
【００８５】
図１５において、上記の入力制限における動作フローの一例を示している。この動作フローは照合条件設定ＧＵＩの動作であり、ユーザがチェックボックス（４）に対する操作を行なった時点を開始とする。ステップＳ１５０１は条件分岐であり、チェックボックス（４）に対してチェックが入力された場合はステップＳ１５０４へ、チェックが外された場合はステップＳ１５０２へ移る。
【００８６】
ステップＳ１５０２ではチェックボックス（５）〜（９）のすべてのチェックを外し、ステップＳ１５０３へ移る。ステップＳ１５０３ではチェックボックス（５）〜（９）のすべてを無効化しユーザからの入力を受け付けなくする。この時点で、ユーザはチェックボックスの（１）〜（３）のみが設定可能となり、所定の設定を行なって照合条件の設定を終える。
【００８７】
一方、ステップＳ１５０４ではチェックボックス（５）〜（８）を有効化し、ステップＳ１５０５に移る。ステップＳ１５０５ではチェックボックス（５）、および（６）に自動的にチェックを入れ、ステップＳ１５０６へ移る。これにより、ユーザが患者情報の照合を行なうと決定した際には、標準で患者名と生年月日が照合条件として自動的に選択されている状態を実現することが出来る。
【００８８】
ステップＳ１５０６は条件分岐であり、チェックボックス（５）にチェックを入れた場合はＳ１５０９へ移り、チェックを外した場合はＳ１５０７へ移る。ステップＳ１５０７ではチェックボックス（８）のチェックを外し、ステップＳ１５０８へ移る。ステップＳ１５０８では、チェックボックス（６）および（８）を無効化し、ステップＳ１５１３に移る。これによって、たとえ照合条件から患者名が外されても、患者情報の照合を行なう際には少なくとも生年月日は使用される条件が維持される。
【００８９】
また、照合条件として患者名を外しているにもかかわらず、患者名の第３文字列を照合に利用するという矛盾した設定も回避することが可能となる。一方ステップＳ１５０９ではチェックボックス（６）および（８）を有効化し、ステップＳ１５１０へ移る。ステップＳ１５１０ではチェックボックス（９）のチェックを外し、無効化しステップＳ１５１１へ移る。
【００９０】
ステップＳ１５１１は条件分岐であり、（６）のチェックボックスにチェックをいれた場合はステップＳ１５１３へ移り、チェックを外した場合はステップＳ１５１２へ移る。ステップＳ１５１２ではチェックを入れた状態でチェックボックス（５）を無効化し、ステップＳ１５１３へ移る。これにより、患者情報の照合を行なう際に、生年月日が選択されていなくても、少なくとも患者名は使用されるという条件を維持することが出来る。
【００９１】
ステップＳ１５１３は条件分岐であり、チェックボックス（１）にチェックが入った場合はステップＳ１５１５へ移り、チェックが外された場合はステップＳ１５１４へ移る。ステップＳ１５１４ではチェックボックス（９）のチェックを外し、無効化する。一方、ステップＳ１５１５では（９）を有効化する。これにより、空の患者名でデータベースを上書きするといった設定は回避され、データベースから患者名が消えてしまうことを防止している。
【００９２】
なお入力制限における動作フローは図１５に示されたフローに限るものではなく、入力制限によって図１２に示されたテーブルの条件以外を設定できないようなものであればどのような動作フローであってもかまわない。
【００９３】
以上のように、ＧＵＩで自動的に入力制限を行なうことで複雑な条件設定を矛盾することなく行なうことが可能となる。
【００９４】
なお、本発明の目的は、第１の実施形態の放射線画像表示装置の機能を実現するソフトウェアのプログラムコードを記憶した記録媒体を、システム或いは装置に供給し、そのシステム或いは装置のコンピュータ（又はＣＰＵやＭＰＵ）が記録媒体に格納されたプログラムコードを読みだして実行することによっても、達成されることは言うまでもない。
【００９５】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００９６】
この場合、記憶媒体から読出されたプログラムコード自体が前述した実施形態の機能を実現することになり、そのプログラムコードを記憶した記憶媒体は本発明を構成することになる。
【００９７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１００】
【図１】本発明の第１の実施形態に係るデータ登録システムのシステム構成図である。
【図２】本発明の第１の実施形態に係るデータ登録システムの機能構成を示す図である。
【図３】本発明の第１の実施形態における画像受信からデータ登録までのの動作について説明するフロー図である。
【図４】本発明の第１の実施形態における照合条件設定ＧＵＩの一例を示す図である。
【図５】本発明の第１の実施形態における各種データ情報の例を示す図である。
【図６】本発明の第１の実施形態における照合失敗を通知する際の表示例を示す図である。
【図７】本発明の第２の実施形態におけるデータ登録システムのシステム構成図である。
【図８】本発明の第３の実施形態における患者名分割照合について説明する図である。
【図９】本発明の第３の実施形態における区切り文字の一例を示した一覧である。
【図１０】本発明の第４の実施形態における照合条件設定ＧＵＩの一例を示す図である。
【図１１】本発明の第５の実施形態における照合条件設定ＧＵＩの一例を示す図である。
【図１２】本発明の第６の実施形態における照合条件設定ＧＵＩの一例を示す図である。
【図１３】本発明の第４の実施形態における照合条件設定ＧＵＩの動作フロー図である。
【図１４】本発明の第５の実施形態における照合条件設定ＧＵＩの動作フロー図である。
【図１５】本発明の第６の実施形態における照合条件設定ＧＵＩの動作フロー図である。
【図１６】本発名の第２の実施形態における照合失敗を通知する際の表示例を示す図である。
【符号の説明】
【０１０１】
１０１  画像発生部
１０２  ネットワーク
１０３  画像受信部
１０４  付帯情報保存部
１０５  画像保存部
２０１  撮影部
２０２  撮影制御部
２０３  画像データ
２０４  付帯情報読取部
２０５  照合条件設定部
２０６  照合条件保存部
２０７  データ照合部
２０８  付帯情報登録部
２０９  画像登録部
【図１】
2005222308.tif 000003
【図２】
2005222308.tif 000004
【図３】
2005222308.tif 000005
【図４】
2005222308.tif 000006
【図５】
2005222308.tif 000007
【図６】
2005222308.tif 000008
【図７】
2005222308.tif 000009
【図８】
2005222308.tif 000010
【図９】
2005222308.tif 000011
【図１０】
2005222308.tif 000012
【図１１】
2005222308.tif 000013
【図１２】
2005222308.tif 000014
【図１３】
2005222308.tif 000015
【図１４】
2005222308.tif 000016
【図１５】
2005222308.tif 000017
【図１６】
2005222308.tif 000018
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
画像の付帯情報を記憶装置に登録する情報処置方法において、
入力された画像の付帯情報を読み取る付帯情報読取工程と、
付帯情報の照合条件を設定する照合条件設定工程と、
前記照合条件設定工程により設定された照合条件に基づき、前記記憶装置にすでに登録されている付帯情報と、新たに入力された画像の付帯情報とを照合する付帯情報照合工程と、
前記付帯情報照合工程により照合結果に応じて、新たに入力された画像の付帯情報を前記記憶装置への登録動作を制御する付帯情報登録制御工程とを有することを特徴とする情報処理方法。
【請求項２】
前記付帯情報照合工程による照合の結果を出力する照合結果出力工程を有することを特徴とする請求項１に記載の情報処理方法。
【請求項３】
前記付帯情報照合工程による照合の結果、前記記憶装置にすでに登録されている付帯情報と、新たに入力された画像の付帯情報とが一致しない場合に、付帯情報登録制御工程は新たに入力された画像の付帯情報の前記記憶装置への登録を禁止することを特徴とする請求項１または２に記載の情報処理方法。
【請求項４】
前記付帯情報は複数種の情報を含み、複数種の付帯情報のうち前記照合条件設定工程にて設定される照合条件に含まれない付帯情報は、記憶装置にすでに登録されている付帯情報と、新たに入力された画像の付帯情報とが一致しない場合であっても、付帯情報登録制御工程は記憶装置にすでに登録されている付帯情報を新たに入力された画像の付帯情報に更新登録することを特徴とする請求項１ないし３の何れかに記載の情報処理方法。
【請求項５】
前記画像は医療画像であって、前記付帯情報とは、患者ＩＤ、患者名、性別、生年月日のうちの少なくともいずれか１つを含むことを特徴とする請求項１ないし４の何れかに記載の情報処理方法。
【請求項６】
前記照合条件設定工程により設定される前記照合条件とは、患者ＩＤ一致、患者名一致、性別一致、生年月日一致のうちの少なくともいずれか１つを含むことを特徴とする請求項５に記載の情報処理方法。
【請求項７】
前記照合条件設定工程により設定される前記照合条件に患者名一致が設定される場合、区切り文字によって患者名を分割し、分割された文字列単位で照合を行なうことを特徴とする請求項６に記載の情報処理方法。
【請求項８】
前記区切り文字が２つ以上存在する場合、３番目以降の分割された文字列を一つの文字列に結合することを特徴とする請求項７に記載の情報処理方法。
【請求項９】
前記照合条件設定工程では、患者名の第３文字列以降を照合するか否かを設定可能であることを特徴とする請求項８に記載の情報処理方法。
【請求項１０】
前記照合条件設定工程により設定される前記照合条件に患者名一致が設定されない場合であって、前記付帯情報照合工程により、記憶装置にすでに登録されている付帯情報と、新たに入力された画像の付帯情報とを照合した結果、患者名以外の照合条件で一致する場合に、記憶装置にすでに登録されている患者名を新たに入力された画像の患者名に更新する付帯情報更新工程を有することを特徴とする請求項６ないし９の何れかに記載の情報処理方法。
【請求項１１】
複数の項目から成る付帯情報が付加された画像情報を受信する受信工程と、
前記複数の項目の中から、少なくとも情報が入力されていることが必要な少なくとも１つの必須項目と、入力されている情報が既に格納されている情報と一致することが必要な少なくとも１つの一致項目を選択する選択工程と、
前記受信した画像情報のＩＤ情報と対応する、既に格納されている付帯情報を読み出す読み出し工程と、
前記読み出した付帯情報の前記一致項目の情報と、前記受信した付帯情報の前記一致項目の情報が一致するか否か判断する判断工程と、
前記判断手段により一致すると判断した場合、前記画像情報を前記付帯情報と対応付けて記憶する記憶工程を有することを特徴とする情報処理方法。
【請求項１２】
画像の付帯情報を記憶手段に登録する情報処置装置において、
入力された画像の付帯情報を読み取る付帯情報読取手段と、
付帯情報の照合条件を設定する照合条件設定手段と、
前記照合条件設定手段により設定された照合条件に基づき、前記記憶手段にすでに登録されている付帯情報と新たに入力された画像の付帯情報とを照合する付帯情報照合手段と、
前記付帯情報照合手段により照合結果に応じて、新たに入力された画像の付帯情報を前記記憶装置へ登録動作を制御する付帯情報登録制御手段とを有することを特徴とする情報処理装置。
【請求項１３】
複数の項目から成る付帯情報が付加された画像情報を受信する受信手段と、
前記複数の項目の中から、少なくとも情報が入力されていることが必要な少なくとも１つの必須項目と、入力されている情報が既に格納されている情報と一致することが必要な少なくとも１つの一致項目を選択する選択手段と、
前記受信した画像情報のＩＤ情報と対応する、既に格納されている付帯情報を読み出す読み出し手段と、
前記読み出した付帯情報の前記一致項目の情報と、前記受信した付帯情報の前記一致項目の情報が一致するか否か判断する判断手段と、
前記判断手段により一致すると判断した場合、前記画像情報を前記付帯情報と対応付けて記憶する記憶手段を有することを特徴とする情報処理装置。
【請求項１４】
前記判断手段は、前記情報を複数に分割し、分割した情報に基づき判断することを特徴とする請求項１３に記載の情報処理装置。
【請求項１５】
前記判断手段により一致しないと判断した場合、一致しないことを示す情報を表示する表示手段を更に有することを特徴とする請求項１３に記載の情報処理装置。
【請求項１６】
請求項１ないし１１の何れかに記載の情報処理方法をコンピュータに実行させるための制御プログラム。
【請求項１７】
請求項１ないし１１の何れかに記載の情報処理方法をコンピュータに実行させるための制御プログラムを格納するコンピュータによる読取が可能な記憶媒体。
【手続補正２】
【補正対象書類名】明細書
【補正対象項目名】００１１
【補正方法】変更
【補正の内容】
【００１１】
このような課題に鑑み、本発明の情報処理方法は、画像の付帯情報を記憶装置に登録する情報処置方法において、入力された画像の付帯情報を読み取る付帯情報読取工程と、付帯情報の照合条件を設定する照合条件設定工程と、前記照合条件設定工程により設定された照合条件に基づき、前記記憶装置にすでに登録されている付帯情報と、新たに入力された画像の付帯情報とを照合する付帯情報照合工程と、前記付帯情報照合工程により照合結果に応じて、新たに入力された画像の付帯情報を前記記憶装置への登録動作を制御する付帯情報登録制御工程とを有することを特徴とする。
【手続補正３】
【補正対象書類名】明細書
【補正対象項目名】００１２
【補正方法】変更
【補正の内容】
【００１２】
また、本発明の情報処理方法は、複数の項目から成る付帯情報が付加された画像情報を受信する受信工程と、前記複数の項目の中から、少なくとも情報が入力されていることが必要な少なくとも１つの必須項目と、入力されている情報が既に格納されている情報と一致することが必要な少なくとも１つの一致項目を選択する選択工程と、前記受信した画像情報のＩＤ情報と対応する、既に格納されている付帯情報を読み出す読み出し工程と、前記読み出した付帯情報の前記一致項目の情報と、前記受信した付帯情報の前記一致項目の情報が一致するか否か判断する判断工程と、前記判断手段により一致すると判断した場合、前記画像情報を前記付帯情報と対応付けて記憶する記憶工程を有することを特徴とする。
【手続補正４】
【補正対象書類名】明細書
【補正対象項目名】００１３
【補正方法】変更
【補正の内容】
【００１３】
更に、本発明の情報処理装置は、画像の付帯情報を記憶手段に登録する情報処置装置において、入力された画像の付帯情報を読み取る付帯情報読取手段と、付帯情報の照合条件を設定する照合条件設定手段と、前記照合条件設定手段により設定された照合条件に基づき、前記記憶手段にすでに登録されている付帯情報と新たに入力された画像の付帯情報とを照合する付帯情報照合手段と、前記付帯情報照合手段により照合結果に応じて、新たに入力された画像の付帯情報を前記記憶装置へ登録動作を制御する付帯情報登録制御手段とを有することを特徴とする。
【手続補正５】
【補正対象書類名】明細書
【補正対象項目名】００１４
【補正方法】変更
【補正の内容】
【００１４】
また、本発明の情報処理装置は、複数の項目から成る付帯情報が付加された画像情報を受信する受信手段と、前記複数の項目の中から、少なくとも情報が入力されていることが必要な少なくとも１つの必須項目と、入力されている情報が既に格納されている情報と一致することが必要な少なくとも１つの一致項目を選択する選択手段と、前記受信した画像情報のＩＤ情報と対応する、既に格納されている付帯情報を読み出す読み出し手段と、前記読み出した付帯情報の前記一致項目の情報と、前記受信した付帯情報の前記一致項目の情報が一致するか否か判断する判断手段と、前記判断手段により一致すると判断した場合、前記画像情報を前記付帯情報と対応付けて記憶する記憶手段を有することを特徴とする。
【手続補正６】
【補正対象書類名】明細書
【補正対象項目名】００１５
【補正方法】変更
【補正の内容】
【００１５】
本発明によれば、記憶装置にすでに登録されている付帯情報と、新たに入力された画像の付帯情報との照合結果によって、新たに入力された画像の付帯情報の記憶装置への登録動作を制御するので、照合結果に応じて最適な制御が可能になる。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２５
【補正方法】変更
【補正の内容】
【００２５】
２０３は撮影部２０１で撮影された画像データであり、図１における画像受信部１０３が受信した画像データである。２０４は付帯情報読取部であり、画像データ２０３に付帯している患者情報や検査情報を読み取る。２０５は照合条件設定部であり、情報の中のどの項目を照合するか、どのような条件で照合するかといった照合条件を設定する。２０６は照合条件保存部であり、照合条件設定部２０５により設定した照合条件を保持する。２０７はデータ照合部であり、照合条件保存部２０６に保持されている照合条件に基づいて、付帯情報読取部２０４で読み取られた付帯情報と付帯情報保存部１０４から取得した情報とを照合し、二つの情報が所定の条件に合致しているか否かを判定する。また、判定した結果を画像発生部１０１に通知できるように、撮影制御部２０２と通信できるインターフェイスを備えている。２０８は付帯情報登録部であり、データ照合部２０７により照合条件を満たした判定された場合に付帯情報を付帯情報保存部１０４へ登録する。２０９は画像登録部であり、データ照合部２０７により情報が照合条件を満たしたと判定された場合に受信した画像データ２０３を画像保存部１０５へ保存する。
【手続補正１１】
【補正対象書類名】明細書
【補正対象項目名】００３５
【補正方法】変更
【補正の内容】
【００３５】
一方、性別の必須入力設定を行なうチェックボックス４０３にはチェックが入っていないため、たとえ受信画像の付帯情報として患者の性別が入力されていなかったとしてもデータ登録の失敗とはならない。また、チェックボックス４０４〜４０６において、患者名と生年月日のチェックボックスにチェックが入っているため、患者名および生年月日のみを照合し、性別は照合しないという設定を表している。設定を決定する際には操作ボタン４０７上にポインタ４１を移動してクリックすることで、設定された条件がシステムに反映される。
【手続補正１２】
【補正対象書類名】図面
【補正対象項目名】図１２
【補正方法】変更
【補正の内容】
【図１２】
2005222308.tif 000019